(57)【要約】【課題】筆記圧を受けて筆記芯を除々に回転させる回転駆動機構を備えたものにおいて、筆記芯の回転動作を確実に把握することができるシャープペンシルを提供すること。【解決手段】筆記芯が受ける筆記圧による筆記芯の後退動作および筆記圧の解除による筆記芯の前進動作を受けて回転カム６を一方向に回転駆動させる回転駆動機構が備えられ、前記回転カムの回転運動を前記筆記芯に伝達させるように構成される。  前記シャープペンシルの軸筒１外に露出して配置され、前記回転カム６の回転運動に連動して回転する先端パイプ７には、回転表示体３１が着脱可能に装着される。この回転表示体３１には、先端パイプ７に挿通される貫通孔３１ａが形成され、貫通孔３１を利用して、前記先端パイプ７に対して着脱可能に装着される。【選択図】図５
2015116786.tif 000002
【特許請求の範囲】
【請求項１】
軸筒内に筆記芯を一方向に回転駆動させる回転駆動機構が備えられたシャープペンシルであって、
前記軸筒外に露出して配置され、前記筆記芯の回転と同方向に回転する回転表示体を着脱可能に装着したことを特徴とするシャープペンシル。
【請求項２】
前記回転表示体には、前記筆記芯をガイドする先端パイプに挿通される貫通孔が形成され、前記貫通孔を利用して前記回転表示体が、前記先端パイプに対して着脱可能に装着されたことを特徴とする請求項１に記載されたシャープペンシル。
【請求項３】
前記回転表示体は、回転方向に沿った外形形状が変化するように構成したことを特徴とする請求項１または請求項２に記載されたシャープペンシル。
【請求項４】
前記回転表示体は、前記貫通孔が穿設されて前記先端パイプの軸方向に直交する面を備えた中央部材と、この中央部材に対して前記軸筒方向に向かって折り曲げられた折曲げ部材とが、一体に形成されていることを特徴とする請求項２または請求項３に記載されたシャープペンシル。
【請求項５】
軸筒内に配設されたチャックの前後動により筆記芯の解除と把持を行うことで、前記筆記芯を前方に繰り出すことができるように構成され、前記筆記芯が受ける筆記圧による筆記芯の後退動作および筆記圧の解除による筆記芯の前進動作を受けて回転カムを一方向に回転駆動させる回転駆動機構が備えられ、前記回転カムの回転運動を前記筆記芯に伝達させるように構成したことを特徴とする請求項１ないし請求項４のいずれか１項に記載されたシャープペンシル。
【発明の詳細な説明】
【技術分野】
【０００１】
この発明は、筆記圧を利用して筆記芯（替え芯）を回転させることができるシャープペンシルに関する。
【背景技術】
【０００２】
シャープペンシルは周知のとおり、筆記の進行と共に筆記芯が偏減りするために、描線の太さが変化するという問題を抱えている。
そこで、本件出願人は筆記芯に加わる筆記圧を利用して、筆記芯を除々に一方向に回転させることができる回転駆動機構を備えたシャープペンシルについて、先に提案をしている。
【０００３】
このシャープペンシルによると、一画文字を書くたびに筆記芯が僅かに一方向に回転駆動されるので、軸筒を筆記面（紙面）に対して４０〜８０度程度傾けた状態で筆記することで、筆記芯の先端部は常に円錐形状にとがった状態に保たれる。これにより、常にほぼ同一の線幅をもって筆記をすることが可能となる。
【０００４】
前記したシャープペンシルにおいては、書き進むにしたがって前記した回転駆動機構から筆記芯に至る構成要素の一部が除々に回転するので、この回転状態を積極的にユーザに見せるようにしたシャープペンシルについても本件出願人は提案をしており、これは特許文献１および２などに開示されている。
これによると、筆記しつつ回転駆動機構による回転動作を確認することができるので、ユーザに対して興味もしくは書く楽しみを抱かせることができ、シャープペンシルとしての製品の差別化にも貢献できるなど、独自の作用効果を果たすことができる。
【先行技術文献】
【特許文献】
【０００５】
【特許文献１】国際公開ＷＯ２００９／０６９３９０号パンフレット
【特許文献２】特開２０１１−５６９６５号公報
【発明の概要】
【発明が解決しようとする課題】
【０００６】
ところで、前記した特許文献１および２に開示されたシャープペンシルにおいては、前記した回転駆動機構による回転動作が、透明素材により構成された軸筒の一部を介して視認できるように構成されている。
したがって、軸筒の透明素材を介して視認できる回転部材はその大きさに制限があり、しかも透明素材を介して見るために、前記した回転動作を確認し難いという問題がある。
また回転動作として見える部材が、軸筒を保持する手指により隠されて、見える角度が限定される場合もあり、このために前記した独自の作用効果を充分に発揮させることは難しい。
【０００７】
この発明は、前記した問題点に着目してなされたものであり、シャープペンシルの軸筒を把持する手指による影響を受けることなく、筆記芯の回転動作を直接的に見ることができ、筆記中において前記回転動作を確実に把握することが可能なシャープペンシルを提供しようとするものである。しかも必要に応じて回転動作の表示部材、すなわち回転表示体を取り外すことを可能にしたシャープペンシルを提供することを課題とするものである。
【課題を解決するための手段】
【０００８】
前記した課題を解決するためになされたこの発明に係るシャープペンシルは、軸筒内に筆記芯を一方向に回転駆動させる回転駆動機構が備えられたシャープペンシルであって、前記軸筒外に露出して配置され、前記筆記芯の回転と同方向に回転する回転表示体を着脱可能に装着したことを特徴とする。
【０００９】
この場合、好ましい形態においては、前記回転表示体には前記筆記芯をガイドする先端パイプに挿通される貫通孔が形成され、前記貫通孔を利用して前記回転表示体が、前記先端パイプに対して着脱可能に取り付けられるように構成される。
そして前記回転表示体は、回転方向に沿った外形形状が変化するように構成されていることが望ましい。
【００１０】
加えて前記回転表示体は、前記した貫通孔が穿設されて前記先端パイプの軸方向に直交する面を備えた中央部材と、この中央部材に対して前記軸筒方向に向かって折り曲げられた折曲げ部材とが、一体に形成された構成を好適に採用することができる。
さらに折り曲げ部材は可変する事もでき、使用者の好みの角度に調整が可能となる。
【００１１】
さらに軸筒内に配設されたチャックの前後動により筆記芯の解除と把持を行うことで、前記筆記芯を前方に繰り出すことができるように構成され、前記筆記芯が受ける筆記圧による筆記芯の後退動作および筆記圧の解除による筆記芯の前進動作を受けて回転カムを一方向に回転駆動させる回転駆動機構が備えられ、前記回転カムの回転運動を前記筆記芯に伝達させるように構成したシャープペンシルであって、前記軸筒外に露出して配置され、前記回転カムの回転運動に連動して回転する構成を好適に採用することができる。
【発明の効果】
【００１２】
前記したこの発明に係るシャープペンシルによると、筆記芯は回転駆動機構により一方向に回転駆動され、自身が受ける回転運動と筆記による摩耗とにより、先端部は常に円錐形状にとがった状態に保たれる。これにより書き進むにしたがって筆記芯が偏摩耗するのを防止することができ、常にほぼ同一の線幅をもって筆記をすることが可能となる。
【００１３】
そして、前記回転駆動機構による回転運動に連動して回転する軸筒外に露出して配置された構成部材、例えば筆記芯をガイドする先端パイプに対して、回転表示体が着脱可能に装着された構成が採用されるので、ユーザは回転表示体を直接に見ることができる。
しかも回転表示体の大きさにも制限を受けることがなく、回転表示体は筆記の邪魔にならない程度の寸法に設定することができる。これによりユーザは筆記中における筆記芯の回転動作を確実に把握することが可能となる。
さらに前記回転表示体は、例えば先端パイプに対して着脱可能に装着されるので、ユーザの好みに応じて、容易に取り外すこともできる。
【図面の簡単な説明】
【００１４】
【図１】この発明に係るシャープペンシルの前半部を一部破断して示した斜視図である。
【図２】同じくシャープペンシルの一部を断面状態で示した側面図である。
【図３】回転表示体を取り付けたシャープペンシルの全体構成を示した正面図および縦断面図である。
【図４】図３に示すシャープペンシルを９０度軸回転させた状態の上面図および縦断面図である。
【図５】第１の形態の回転表示体を取り付けたシャープペンシルの先端部を拡大して示した斜視図である。
【図６】第２の形態の回転表示体を取り付けたシャープペンシルの先端部を拡大して示した斜視図である。
【図７】第３の形態の回転表示体を取り付けたシャープペンシルの先端部を拡大して示した斜視図である。
【図８】第４の形態の回転表示体を取り付けたシャープペンシルの先端部を拡大して示した斜視図である。
【図９】第５の形態の回転表示体を取り付けたシャープペンシルの先端部を拡大して示した斜視図である。
【図１０】第６の形態の回転表示体を取り付けたシャープペンシルの先端部を拡大して示した斜視図である。
【発明を実施するための形態】
【００１５】
以下、この発明に係るシャープペンシル、特にシャープペンシルに外付けされる回転表示体について説明するが、先ずは筆記圧を受けて筆記芯を一方向に回転駆動させる回転駆動機構を備えたシャープペンシルの一例について、図１および図２に基づいて説明する。
図１および図２はシャープペンシルの前半部を示したものであり、図１はその主要部を破断して示した斜視図であり、また図２は上半部を断面状態で示した側面図である。
【００１６】
符号１はシャープペンシルの外郭を構成する軸筒を示しており、符号２は前記軸筒１の先端部に取り付けられた口先部を示している。前記軸筒１内の中心部には筒状の芯ケース３が同軸状に収容されており、この芯ケース３の先端部にはチャック４が連結されている。このチャック４には、その軸芯に沿って通孔４ａが形成され、また先端部が三方に分割されて、分割された先端部がリング状に形成された締め具５内に遊嵌されるようにして装着されている。そして、リング状の前記締め具５は前記チャック４の周囲を覆うようにして配置された円筒状に形成された回転カム６の先端部内面に装着されている。
【００１７】
前記口先部２より突出するようにして筆記芯をガイドする先端パイプ７が備えられ、この先端パイプ７の基端部は前記口先部２内に位置するスライダー８の先端部内面に、パイプ保持部材を介して嵌合により取り付けられている。前記スライダー８は、その基端部（後端部）側が大径となるように円筒部が連続した階段状に形成されており、その基端部内面は前記した回転カム６の先端部における周側面に嵌合されている。そして、前記スライダー８における内周面には、軸芯部分に通孔９ａを形成したゴム製の保持チャック９が収容されている。
【００１８】
前記した構成により、芯ケース３よりチャック４内に形成された通孔４ａ、前記保持チャック９の軸芯に形成された通孔９ａを介して、前記先端パイプ７に至る直線状の芯挿通孔が形成されており、この直線状の芯挿通孔内に筆記芯（替え芯）が挿通される。そして、前記した回転カム６とチャック４との間の空間部には、コイル状のチャックスプリング１０が配置されている。
【００１９】
なお前記チャックスプリング１０の一端部（後端部）は前記芯ケース３の端面に、また前記チャックスプリング１０の他端部（前端部）は回転カム６内に形成された環状の端面に当接した状態で収容されている。したがって前記チャックスプリング１０の作用により、回転カム６内のチャック４は後退する方向に付勢されている。
【００２０】
図に示すシャープペンシルにおいては、軸筒１の後端部に配置された後述するノック部（ノックカバー）をノック操作することで、前記芯ケース３が軸筒１内において前進し、チャック４の先端部が締め具５から突出することで筆記芯の把持状態が解除される。そして、前記ノック操作の解除により、チャックスプリング１０の作用により芯ケース３およびチャック４は軸筒１内において後退する。
【００２１】
この時、筆記芯は保持チャック９に形成された通孔９ａにおいて一時的に保持される。この状態でチャック４は後退してその先端部が前記締め具５内に収容されることで、筆記芯を再び把持状態にする。すなわち、前記したノック部（ノックカバー）のノック操作の繰り返しによるチャック４の前後動により筆記芯の解除と把持が行われ、これにより筆記芯はチャック４から順次前方に繰り出されるように作用する。
【００２２】
図１に示す前記した回転カム６は、その軸方向の中央部が径を太くした太径部になされ、その太径部の一端面（後端面）には第１のカム面６ａが形成されており、太径部の他端面（前端面）には第２のカム面６ｂが形成されている。
一方、前記回転カム６の後端部には、円筒状の上カム形成部材１３が回転カム６の後端部を覆うようにして軸筒１内に取り付けられており、前記上カム形成部材１３の前端部には、前記回転カム６における第１のカム面６ａに対峙するようにして固定カム面（第１の固定カム面ともいう。）１３ａが形成されている。
【００２３】
さらに、図１においては図示が省略され、図２に示されているように、前記回転カム６の外側に下カム形成部材１４が配置され、この下カム形成部材１４は軸筒１側に取り付けられている。そして、下カム形成部材１４には前記回転カム６における第２のカム面６ｂに対峙するようにして、固定カム面（第２の固定カム面ともいう。）１４ａが形成されている。
【００２４】
図３および図４は、図１および図２に基づいて説明したシャープペンシルの全体図を示したものであり、図１および図２に示した代表的な部分を同一符号で示している。
また図３および図４においては、筆記芯をガイドする先端パイプ７を利用して、後述する回転表示体３１を装着した例を示している。
図３および図４に示されたように円筒状に形成された前記上カム形成部材１３の後端部内面には、円筒状のストッパー１６が軸筒１内に嵌合されて取り付けられており、このストッパー１６の前端部と、円筒状に形成されて軸方向に移動可能なトルクキャンセラー１７との間にはコイル状のクッションスプリング１８が装着されている。
【００２５】
前記クッションスプリング１８は、前記トルクキャンセラー１７を前方に付勢ように作用し、この付勢力を受けた前記トルクキャンセラー１７に押されて前記回転カム６は前方に押し出されるように構成されている。
【００２６】
また、軸筒１の後端部側内面には、円筒状に形成されたノック棒２１が軸方向にスライド可能に収容されており、このノック棒２１は、前記ストッパー１６との間に配置された軸スプリング２２によって、軸筒の後方に向かって付勢されている。
そして、軸筒１の後端部においてクリップ２３を一体に形成した筒体部２３ａが軸筒１内に嵌め込まれており、この筒体部２３ａ内に形成された円環状の段部２３ｂによって、前記ノック棒２１が軸筒１の後端部側から抜け出るのを阻止するように構成されている。
【００２７】
前記ノック棒２１の後端部は環状に形成され、前記筒体部２３ａの後端部よりも若干後方に突出した状態に構成にされており、前記ノック棒２１の後端部内面空間には消しゴム２４が装着されている。そして、前記消しゴム２４を覆うようにしてノック部を構成する透明もしくは半透明な樹脂素材により形成されたノックカバー２５が、ノック棒２１の後端部外周面を覆うようにして着脱可能に取り付けられている。
なお、前記ノック棒２１における消しゴム２４の装着位置には、筆記芯の補給口２１ａが形成されている。
【００２８】
前記した構成において、前記ノックカバー２５を例えば親指等により押し込むノック操作を行うと、ノック棒２１を介して芯ケース３を前方に押し出すように作用する。これにより、前記したとおりチャック４が前進して筆記芯を先端パイプ７より繰り出させるように作用する。そして前記ノック操作の解除によりノック棒２１は、チャックスプリング１０の作用により後退し、ノック棒２１はクリップ２３を支持する筒体部２３ａの内面に形成された段部２３ｂによって係止される。
【００２９】
ところで、前記したシャープペンルの構成によると、チャック４が筆記芯を把持した状態で、前記回転カム６はチャック４と共に軸芯を中心にして回転可能となるように前記軸筒１内に収容されている。そして、シャープペンシルが不使用の状態（筆記芯に筆記圧が加わらない場合）においては、前記クッションスプリング１８の作用により前記トルクキャンセラー１７を介して回転カム６は前方に付勢されていて、図１〜図３に示す状態になされている。
【００３０】
一方、シャープペンシルを使用した場合、すなわち先端パイプ７から突出している図示せぬ筆記芯に筆記圧が加わった場合には、前記チャック４はクッションスプリング１８の付勢力に抗して後退し、これに伴って回転カム６も軸方向に後退する。したがって、図１および図２に示す回転カム６に形成されている円環状の第１のカム面６ａは同じく円環状に形成された第１の固定カム面１３ａに接合して噛み合い状態になされる。
【００３１】
前記第１のカム面６ａは周方向に沿って連続的に鋸歯状になされており、また前記第１の固定カム面１３ａも周方向に沿って連続的に鋸歯状になされており、そのピッチは互いに同一となるように形成されている。
そして、対峙した状態の第１カム面６ａと固定カム面１３ａは、軸方向においてカムの一歯に対して半位相（半ピッチ）ずれた関係となるように設定されており、前記したように第１のカム面６ａが第１の固定カム面１３ａに接合して噛み合い状態になされることによって、回転カム６は第１カム面６ａの一歯の半位相（半ピッチ）に相当する回転駆動を受ける。
【００３２】
このようにして第１のカム面６ａが第１の固定カム面１３ａに接合して噛み合い状態になされた状態においては、周方向に沿って連続的に鋸歯状にカム面が形成された回転カム６側の第２カム面６ｂと前記第２の固定カム面１４ａが、軸方向においてカムの一歯に対して半位相（半ピッチ）ずれた関係となるように設定されている。
【００３３】
したがって一画の筆記が終わり、筆記芯に対する筆記圧が解かれた場合には、前記したクッションスプリング１８の作用により回転カム６は軸方向に前進し、回転カム６に形成された第２カム面６ｂが、下カム形成部材１４側の第２の固定カム面１４ａに噛み合う。これにより回転カム６は第２カム面６ｂの一歯の半位相（半ピッチ）に相当する回転駆動を再び受ける。
【００３４】
以上のとおり、図１〜図３示したシャープペンシルによると、筆記圧を受けることによる回転カム６の軸方向への往復運動（クッション動作）に伴って、回転カム６は第１カム面６ａおよび第２カム面６ｂの一歯（１ピッチ）に相当する回転駆動を受け、チャック４を介してこれに把持された筆記芯も同様に回転駆動される。
したがって、筆記芯は自身が受ける回転運動と筆記による摩耗とにより、先端部が常に円錐形状になされる。それ故、書き進むにしたがって筆記芯が偏摩耗するのを防止させることができ、安定した線幅による筆記が可能となる。
【００３５】
以上のとおり、前記した構成のシャープペンシルは、第１カム面６ａおよび第２カム面６ｂを備えた回転カム６、第１固定カム面１３ａを備えた上カム形成部材１３、第２固定カム面１４ａを備えた下カム形成部材１４、トルクキャンセラー１７、クッションスプリング１８、およびチャック４とにより、筆記芯の回転駆動機構を構成している。
【００３６】
一方、前記した構成のシャープペンシルにおいては、口先部材２から突出する先端パイプ７およびスライダー８は、前記回転カム６の回転と共に、同方向に回転されるように作用する。
そこで、この実施の形態においては前記した軸筒１外に露出して配置され、前記回転カム６の回転運動に連動して回転する構成部材、すなわち先端パイプ７に対して、図３および図４に示したように回転表示体３１が着脱可能に装着され、筆記芯の回転状態が確認できるように構成されている。
【００３７】
図５は、シャープペンシルの先端部を拡大して示した斜視図であり、これは図３および図４に示した第１形態の回転表示体３１について示したものである。
図５に示したように前記回転表示体３１には、先端パイプ７に挿通される貫通孔３１ａが形成され、この貫通孔３１ａを利用して前記回転表示体３１が、前記先端パイプ７に対して着脱可能に装着されている。
【００３８】
この回転表示体３１には、先端パイプ７の軸方向に直交する面を備えた中央部材３１ｂが備えられ、この中央部材３１ｂに前記した貫通孔３１ａが穿設されており、中央部材３１ｂに対して軸筒１の方向に向かって折り曲げられた折曲げ部材３１ｃが、中央部材３１ｂに一体に成形されて傘状に構成されている。
そして折曲げ部材３１ｃは、図５に示されたように、円錐台状に形成されたカバー部材の一部が切除された形で４枚の折曲げ部材３１ｃに分割され、これにより傘形の折曲げ部材３１ｃは、回転方向に沿った外形形状が変化するように構成されている。
【００３９】
前記した回転表示体３１は、筆記動作に伴う前記回転カム６の回転運動により、筆記芯ならびに先端パイプ７およびスライダー８と共に一方向に回転される。
そして、ユーザは筆記動作に伴って回転する回転表示体３１を直接見ることができ、また回転表示体３１は回転方向に沿った外形形状が変化するので、その回転状態を確実に把握することができる。
また、前記した回転表示体３１は、先端パイプ７から引き抜くことで容易に取り外すことが可能であり、またユーザの好みに応じて容易に装着することも可能である。
【００４０】
図６は、回転表示体３１の第２の形態を示したものである。この第２の形態においては、先端パイプ７に装着される貫通孔３１ａが穿設された中央部材３１ｂに対して、左右一対の折曲げ部材３１ｃが対称位置に形成されている。
すなわち、図５に示した第１形態は４枚の折曲げ部材３１ｃが備えられたものであるのに対して、図６に示した第２形態は２枚の折曲げ部材３１ｃが備えられた構成が採用されている。この第２形態の回転表示体３１においても前記した第１形態と同様の作用効果を得ることができる。
【００４１】
図７は、回転表示体３１の第３の形態を示したものである。この第３の形態においては、先端パイプ７が挿通される貫通孔３１ａが穿設された中央部材３１ｂの外側に、折曲げ部材３１ｃと、第２折曲げ部材３１ｄとが一体に形成されている。そして、折曲げ部材３１ｃの外側に軸に直交する円環状の面（段部）３１ｅが形成され、この円環状の面３１ｅを介して第２折曲げ部材３１ｄが形成されている。
【００４２】
この第３の形態においても円錐台状に形成されたカバー部材の一部を切り取った形状になされており、その切除部３１ｆを介して、スライダー８と口先部２の先端部を見ることができる。
この図７に示す回転表示体３１によると、筆記動作に伴って筆記芯と共に前記した切除部３１ｆが軸回りに回転移動するので、回転表示体３１の回転状態を確実に把握することができ、前記した第１および第２の回転表示体と同様の作用効果を得ることができる。
【００４３】
また図８〜図１０は、回転表示体３１の第４〜第６の形態をそれぞれ示したものであり、これらの回転表示体３１は、いずれも前記スライダー８を覆う形態になされている。
図８に示す回転表示体３１の第４の形態においては、先端パイプ７が挿通される貫通孔３１ａが穿設された中央部材３１ｂの外側に、円錐台状の折曲げ部材３１ｃが形成され、この折曲げ部材３１ｃの外側に円環状の面（段部）３１ｅを介して円錐台状の第２折曲げ部材３１ｄが一体に形成されている。
そして、第２折曲げ部材３１ｄに表面側の一部に三角形状の突出部３１ｇが、回転表示体３１と一体に形成されている。
【００４４】
図９に示す回転表示体３１の第５の形態においては、先端パイプ７が挿通される貫通孔３１ａが穿設された中央部材３１ｂの外側に、スライダー８を覆う円錐台状の折曲げ部材３１ｃが形成され、この折曲げ部材３１ｃの外側に、周方向に等間隔をもって複数の翼状の突起３１ｈが形成されている。
【００４５】
さらに、図１０に示す回転表示体３１の第６の形態においては、先端パイプ７が挿通される貫通孔３１ａが穿設された中央部材３１ｂの外側に、スライダー８を覆う円錐台状の折曲げ部材３１ｃが形成されると共に、この折曲げ部材３１ｃの外側に円環状の面（段部）３１ｅが形成されている。そして、円環状の面３１ｅの周方向の一部に、三角形状に形成された軸方向への突出部３１ｉが一体成形されている。
【００４６】
前記図８〜図１０に示した各回転表示体３１の構成においても、前記した三角形状の突出部３１ｇ、翼状の突起３１ｈ、軸方向への突出部３１ｉの存在により、回転表示体３１の回転状態を確実に把握することができ、図５〜図７に示した各回転表示体３１と同様の作用効果を得ることができる。
【００４７】
なお、以上説明した回転表示体３１は、いずれも筆記芯をガイドする先端パイプ７に取り付けられ、筆記動作に伴い回転駆動されるように構成されているが、この回転表示体３１は、軸筒１外に露出して前記回転カム６の回転運動に連動して回転する他の構成部材に取り付けることもできる。
【００４８】
例えば、図３および図４に示した構成において、芯ケース３の後端部にノック棒２１が直結され、回転カム６の回転動作がノックカバー２５に連動するシャープペンシルにおいては、前記ノックカバー２５に対して回転表示体３１を着脱可能に装着することで、同様の作用効果を期待することができる。
【符号の説明】
【００４９】
１      軸筒
２      口先部
３      芯ケース
４      チャック
５      締め具
６      回転カム
７      先端パイプ
８      スライダー
９      保持チャック
１０    チャックスプリング
１３    上カム形成部材
１４    下カム形成部材
１６    ストッパー
１７    トルクキャンセラー
１８    クッションスプリング
２１    ノック棒
２２    軸スプリング
２３    クリップ
２４    消しゴム
２５    ノックカバー
３１    回転表示体
３１ａ  貫通孔
３１ｂ  中央部材
３１ｃ  折曲げ部材
３１ｄ  第２折曲げ部材
３１ｅ  円環状の面
３１ｆ  切除部
３１ｇ  三角状突出部
３１ｈ  翼状突起
３１ｉ  軸方向突出部
【図１】
2015116786.tif 000003
【図２】
2015116786.tif 000004
【図３】
2015116786.tif 000005
【図４】
2015116786.tif 000006
【図５】
2015116786.tif 000007
【図６】
2015116786.tif 000008
【図７】
2015116786.tif 000009
【図８】
2015116786.tif 000010
【図９】
2015116786.tif 000011
【図１０】
2015116786.tif 000012